(57)【特許請求の範囲】
【請求項１】
表面を形成する表面側吸水性紙層部と、背面を形成する背面側吸水性紙層部と、前記表面側及び背面側吸水性紙層部間に設けられ、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物を主として含有して形成されている吸水性材料層部とを備えており、前記表面側吸水性紙層部、吸水性材料層部及び背面側吸水性紙層部は、合わせられて一体に形成されていることを特徴とする吸収体。
【請求項２】
表面を形成する表面側吸水性紙層部と、背面を形成する背面側吸水性紙層部と、前記表面側及び背面側吸水性紙層部間に設けられ、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び前記野菜屑粉砕乾燥物より少量の吸水性樹脂を含有して形成されている吸水性材料層部とを備えており、前記表面側吸水性紙層部、吸水性材料層部及び背面側吸水性紙層部は、合わせられて一体に形成されていることを特徴とする吸収体。
【請求項３】
表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、前記野菜屑粉砕乾燥物より少量の５ｍｍ以下の粒度の廃棄物配合材料粉砕物及び前記廃棄物配合材料粉砕物より少量の吸水性樹脂を含んで形成されている吸水性材料層部とを備えており、前記表面側吸水性紙層部、吸水性材料層部及び背面側吸水性紙層部は、合わせられて一体に形成されていることを特徴とする吸収体。
【請求項４】
表面を形成する表面側吸水性紙層部と、背面を形成する背面側吸水性紙層部と、前記表面側及び背面側吸水性紙層部間に設けられ、５ｍｍ以下の粒度を有し、葉菜屑、茎菜屑、根菜屑、果菜屑、花菜屑、香辛野菜屑、きのこ屑、山菜屑若しくは野草屑又はこれら二以上を含むものである野菜屑粉砕乾燥物を主として含有し、界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする吸収体。
【請求項５】
表面を形成する表面側吸水性紙層部と、背面を形成する背面側吸水性紙層部と、前記表面側及び背面側吸水性紙層部間に設けられ、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び前記野菜屑粉砕乾燥物より少量の吸水性樹脂を含有し、さらに界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする吸収体。
【請求項６】
表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、前記野菜屑粉砕乾燥物より少量の５ｍｍ以下の粒度の廃棄物配合材料粉砕物及び前記廃棄物配合材料粉砕物より少量の吸水性樹脂を含み、さらに界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする吸収体。
【請求項７】
表面側吸水性紙層部若しくは背面側吸水性紙層部又は前記表面側吸水性紙層部及び背面側吸水性紙層部には、その少なくとも一部に、着色性物質が付着されていることを特徴とする請求項１乃至６の何れか一項に記載の吸収体。
【請求項８】
表面側吸水性紙層部、吸水性材料層部若しくは背面側吸水性材料層部又は表面側吸水性紙層部、吸水性材料層部及び背面側吸水性材料層部の中の二種以上の層部には、その少なくとも一部に、殺菌性を有する物質又は脱臭機能を有する物質、又は殺菌性を有する物質及び脱臭機能を有する物質が含有されていることを特徴とする請求項１乃至７の何れか一項に記載の吸収体。
【請求項９】
表面側吸水性紙層部若しくは背面側吸水性紙層部又は前記表面側吸水性紙層部及び背面側吸水性紙層部は、吸収紙、薄用紙若しくは衛生紙又はこれらの二種以上を組み合わせた紙であることを特徴とする請求項１乃至６の何れか一項に記載の吸収体。
【請求項１０】
吸水性樹脂が、一種類の吸水性樹脂又は二種類以上の吸水性樹脂の混合物であることを特徴とする請求項２、３、５又は６に記載の吸収体。
【請求項１１】
吸水性樹脂は、紙おむつ廃材粉砕物、乳パッド廃材粉砕物、尿パッド廃材粉砕物、生理用ナプキン廃材粉砕物若しくは吸収性繊維廃材粉砕物に含まれる吸水性樹脂又は該吸水性樹脂の混合物又は紙おむつ廃材粉砕物、乳パッド廃材粉砕物、尿パッド廃材粉砕物若しくは生理用ナプキン廃材粉砕物から分離回収された吸水性樹脂であり、又はこれら吸水性樹脂の二以上の混合物であることを特徴とする請求項２、３、５又は６に記載の吸収体。
【請求項１２】
吸水性樹脂又は吸水性樹脂の混合物は、該吸水性材料層部に、該吸水性材料層部に対し、３重量パーセント以上の含有率で含有されていることを特徴とする請求項２、３、５又は６に記載の吸収体。
【請求項１３】
吸水性樹脂又は吸水性樹脂の混合物は、該吸水性材料層部に、該吸水性材料層部に対し、５乃至１５重量パーセントの含有率で含有されていることを特徴とする請求項２、３、５又は６に記載の吸収体。
【請求項１４】
吸水性樹脂又は吸水性樹脂の混合物は、吸水性材料層部に、該吸水性材料層部に対し、３０重量パーセント以下の含有率で含有されていることを特徴とする請求項２、３、５又は６に記載の吸収体。
【請求項１５】
廃棄物配合材料粉砕物が、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、木材屑、鉋屑、不織布屑、プラスチックフィルム廃材、プラスチックシート廃材、プラスチック材料製不織布廃材若しくは紙おむつ廃材粉砕物から分離されたプラスチック材料に富む分離産物、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれら二以上を含む混合物であることを特徴とする請求項３又は６に記載の吸収体。
【請求項１６】
廃棄物配合材料粉砕物は、吸水性材料層部に、該吸水性材料層部に対し、５０重量パーセント以下の含有率で含有されていることを特徴とする請求項３又は６に記載の吸収体。
【請求項１７】
廃棄物配合材料粉砕物は、吸水性材料層部に、該吸水性材料層部に対し、３０重量パーセント以下の含有率で含有されていることを特徴とする請求項３又は６の何れか一項に記載の吸収体。
【請求項１８】
表面を形成する透水性薄層部と、背面を形成する不透水性薄層部と、透水性薄層部及び不透水性薄層部の間に設けられている吸収体とを備え、前記吸収体が、その表面を、前記透水性薄層部の背面に接し、その背面を、不透水性薄層部の表面に接して配置されることにより形成されるシーツにおいて、前記吸収体が、請求項１乃至１７の何れか一項に記載の吸収体であることを特徴とするシーツ。
【請求項１９】
表面を形成する透水性薄層部と、背面を形成する透水性薄層部と、上下両透水性薄層部間に設けられている吸収体とを備え、前記吸収体が、その両外面を、前記両透水性薄層部の夫々の内面に接して配置されることにより形成されるシーツにおいて、前記吸収体が、請求項１乃至１７の何れか一項に記載の吸収体であることを特徴とするシーツ。
【請求項２０】
透水性薄層部が、乾式不織布又は湿式不織布で形成されていることを特徴とする請求項１８又は１９に記載のシーツ。
【請求項２１】
背面を形成する不透水性薄層部は、プラスチックフィルム又は柔軟なプラスチックシートで形成されていることを特徴とする請求項１８に記載のシーツ。
【請求項２２】
表面を形成する透水性薄層部と、背面を形成する不透水性薄層部と、透水性薄層部及び不透水性薄層部の間に設けられている吸収体とを備え、前記吸収体が、その表面を、前記透水性薄層部の背面に接し、その背面を、不透水性薄層部の表面に接して配置されることにより形成される包装材料において、前記吸収体が、請求項１乃至１７の何れか一項に記載の吸収体であることを特徴とする包装材料。
【請求項２３】
表面を形成する透水性薄層部と、背面を形成する透水性薄層部と、上下両透水性薄層部間に設けられている吸収体とを備え、前記吸収体が、その両外面を、前記両透水性薄層部の夫々の内面に接して配置されることにより形成される包装材料において、前記吸収体が、請求項１乃至１７の何れか一項に記載の吸収体であることを特徴とする包装材料。
【請求項２４】
透水性薄層部は、乾式不織布又は湿式不織布で形成されていることを特徴とする請求項２２又は２３に記載の包装材料。
【請求項２５】
背面を形成する不透水性薄層部は、プラスチックフィルム又は柔軟なプラスチックシートで形成されていることを特徴とする請求項２１に記載の包装材料。
【請求項２６】
５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物を、背面側吸収紙の上に載置し、この載置された野菜屑粉砕乾燥物の上に表面側吸収紙を載置し、この重ねられた前記背面側吸収紙、野菜屑粉砕乾燥物及び表面側吸収紙を加圧して、一体に形成することを特徴とする吸収体の製造方法。
【請求項２７】
５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、吸水性樹脂を混合して、吸水性混合物を形成し、この形成された吸水性混合物を、背面側吸収紙の上に載置し、この載置された吸水性混合物の上に表面側吸収紙を載置し、この重ねられた前記背面側吸収紙、吸水性混合物及び表面側吸収紙を加圧して、一体に形成することを特徴とする吸収体の製造方法。
【請求項２８】
５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、該野菜屑粉砕乾燥物より少ない量の５ｍｍ以下の粒度を有する廃棄物配合材料粉砕物及び吸水性樹脂を混合して、吸水性混合物を形成し、この形成された吸水性混合物を、背面側吸収紙の上に載置し、この載置された吸水性混合物の上に表面側吸収紙を載置し、この重ねられた前記背面側吸収紙、吸水性混合物及び表面側吸収紙を加圧して、一体に形成することを特徴とする吸収体の製造方法。
【請求項２９】
５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物を、背面側吸収紙の上に載置し、この載置された野菜屑粉砕乾燥物に界面活性剤溶液を付着させ、この界面活性剤溶液を付着させた野菜屑粉砕乾燥物の上に表面側吸収紙を載置し、この重ねられた前記背面側吸収紙、野菜屑粉砕乾燥物及び表面側吸収紙を加圧して、一体に形成することを特徴とする吸収体の製造方法。
【請求項３０】
５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、吸水性樹脂を混合して、吸水性混合物を形成し、この形成された吸水性混合物を、背面側吸収紙の上に載置し、この載置された野菜屑粉砕乾燥物に界面活性剤溶液を付着させ、この界面活性剤溶液を付着させた野菜屑粉砕乾燥物の上に表面側吸収紙を載置し、この重ねられた前記背面側吸収紙、吸水性混合物及び表面側吸収紙を加圧して、一体に形成することを特徴とする吸収体の製造方法
【請求項３１】
５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、該野菜屑粉砕乾燥物より少ない量の５ｍｍ以下の粒度を有する廃棄物配合材料粉砕物及び吸水性樹脂を混合して、吸水性混合物を形成し、この形成された吸水性混合物を、背面側吸収紙の上に載置し、この載置された吸水性混合物に界面活性剤溶液を付着させ、この界面活性剤溶液を付着させた吸水性混合物の上に表面側吸収紙を載置し、この重ねられた前記背面側吸収紙、吸水性混合物及び表面側吸収紙を加圧して、一体に形成することを特徴とする吸収体の製造方法。
【請求項３２】
吸水性樹脂が、一種類の吸水性樹脂又は二種類以上の吸水性樹脂の混合物であることを特徴とする請求項２７、２８、３０又は３１に記載の吸収体の製造方法。
【請求項３３】
吸水性樹脂は、紙おむつ廃材粉砕物、乳パッド廃材粉砕物、尿パッド廃材粉砕物、生理用ナプキン廃材粉砕物若しくは吸収性繊維廃材粉砕物に含まれる吸水性樹脂又は該吸水性樹脂の混合物又は紙おむつ廃材粉砕物、乳パッド廃材粉砕物、尿パッド廃材粉砕物若しくは生理用ナプキン廃材粉砕物から分離回収された吸水性樹脂であり、又はこれら吸水性樹脂の二以上の混合物であることを特徴とする請求項２７、２８、３０又は３１に記載の吸収体の製造方法。
【請求項３４】
一種類の吸水性樹脂又は二種類以上の吸水性樹脂の混合物は、該吸水性材料層部に、該吸水性材料層部に対し、３重量パーセント以上の含有率で含有されていることを特徴とする請求項２７、２８、３０又は３１に記載の吸収体の製造方法。
【請求項３５】
一種類の吸水性樹脂又は二種類以上の吸水性樹脂の混合物は、該吸水性材料層部に、該吸水性材料層部に対し、５乃至１５重量パーセントの含有率で含有されていることを特徴とする請求項２７、２８、３０又は３１に記載の吸収体の製造方法。
【請求項３６】
一種類の吸水性樹脂又は二種類以上の吸水性樹脂の混合物は、吸水性材料層部に、該吸水性材料層部に対し、３０重量パーセント以下の含有率で含有されていることを特徴とする請求項２７、２８、３０又は３１に記載の吸収体の製造方法。
【請求項３７】
廃棄物配合材料粉砕物が、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、木材屑、鉋屑、不織布屑、プラスチックフィルム廃材、プラスチックシート廃材、プラスチック材料製不織布廃材若しくは紙おむつ廃材粉砕物から分離されたプラスチック材料に富む分離産物、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれら二以上を含む混合物であることを特徴とする請求項２８又は３１に記載の吸収体の製造方法。
【請求項３８】
廃棄物配合材料粉砕物は、吸水性材料層部に、該吸水性材料層部に対し、５０重量パーセント以下の含有率で含有されていることを特徴とする請求項２８又は３１に記載の吸収体の製造方法。
【請求項３９】
廃棄物配合材料粉砕物は、吸水性材料層部に、該吸水性材料層部に対し、３０重量パーセント以下の含有率で含有されていることを特徴とする請求項２８又は３１に記載の吸収体の製造方法。
【請求項４０】
廃棄物配合材料粉砕物は、紙おむつ廃材、乳パツド廃材、尿パッド廃材、生理用ナプキン廃材若しくはラミネート紙廃材又はこれら二以上の廃材を、粉砕機により５ｍｍ以下の粒度に粉砕された粉砕物を分離処理してプラスチックに富むものを分離することにより製造されたものであることを特徴とする請求項２８又は３１に記載の吸収体の製造方法。
【請求項４１】
表面側吸水紙若しくは背面側吸水紙又は前記表面側吸水紙及び背面側吸水紙には、吸収体に配置される前に又は配置された後に、その少なくとも一部に、着色性物質が塗布されることを特徴とする請求項２７、２８、３０又は３１に記載の吸収体の製造方法。
【請求項４２】
表面側吸水紙、背面側吸水紙若しくは吸水性材料層部又はこれらの二以上は、吸収体に使用される前に又は使用された後に、その少なくとも一部に、予め殺菌性を有する物質が含浸されることを特徴とする請求項２６乃至３１の何れか一項に記載の吸収体の製造方法。
【請求項４３】
表面側吸水性紙層部若しくは背面側吸水性紙層部又は前記表面側吸水性紙層部及び背面側吸水性紙層部は、吸収紙、薄用紙若しくは衛生紙又はこれらの二種以上を組み合わせた紙であることを特徴とする請求項２６乃至３１の何れか一項に記載の吸収体の製造方法。
【請求項４４】
請求項２６乃至４３の何れか一項に記載の吸収体の製造方法により製造された吸収体の表面側吸収紙の上に不織布を配置し、背面側吸収紙の下にプラスチックフィルムを配置し、この配置された不織布及びプラスチックフィルムの少なくとも一部周囲を圧着することを特徴とするシーツの製造方法。
【請求項４５】
請求項２６乃至４３の何れか一項に記載の吸収体の製造方法により製造された吸収体の表面側吸収紙の上に不織布を配置し、背面側吸収紙を上に不織布を配置し、この配置された両不織布の少なくとも一部周囲を互いに圧着することを特徴とするシーツの製造方法。
【請求項４６】
請求項２６乃至４３の何れか一項に記載の吸収体の製造方法により製造された吸収体の表面側吸収紙の上に不織布を配置し、背面側吸収紙を覆ってプラスチックフィルムを配置し、不織布及びプラスチックフィルムが配置された吸収体を加圧成形することを特徴とする包装材料の製造方法。
【請求項４７】
請求項２６乃至４３の何れか一項に記載の吸収体の製造方法により製造された吸収体の表面側吸収紙の上に不織布を配置し、背面側吸収紙の上に不織布を配置し、両面に不織布が配置された吸収体を加圧成形することを特徴とする包装材料の製造方法。
【発明の詳細な説明】
【０００１】
【発明の属する技術分野】
本発明は、吸収体及び該吸収体を使用するシート、マット又はシーツ等の薄手或いは厚手の吸水性の敷物又は包装材料に関する。また、本発明は、野菜屑乾燥物を芯材とする吸収体及び該吸収体を使用するシート、マット又はシーツ等の薄手或いは厚手の吸水性の敷物又は包装材料に関し，特に、５ｍｍ以下の粒度に粉砕された野菜屑の粉砕乾燥物を芯とする吸収体及び該吸収体を使用するシート、マット又はシーツ等の薄手或いは厚手の吸水性の敷物又は包装材料に関する。さらに、本発明は、野菜屑乾燥物及び廃棄物配合材料を芯とする吸収体及び該吸収体を使用するシート、マット又はシーツ等の薄手或いは厚手の吸水性の敷物又は包装材料に関し，特に、５ｍｍ以下の粒度に粉砕された野菜屑の粉砕乾燥物及び５ｍｍ以下の粒度に粉砕された廃棄物配合材料粉砕物を芯とする吸収体及び該吸収体を使用するシート、マット又はシーツ等の薄手或いは厚手の吸水性の敷物又は包装材料に関する。さらにまた、本発明は、衛生用品廃材等のプラスチック材料含有廃材等の廃棄物配合材料についても、５ｍｍ以下の粒度の粒子に粉砕して、シート、マット又は敷物等の薄手或いは厚手の吸水性のシーツ又は包装材料の芯に使用して、吸収機能、保水機能又は湿度調節機能或いはこれら二以上の機能を有する吸収体及び該吸収体を使用するシート、マット又はシーツ等の薄手或いは厚手の吸水性の敷物又は包装材料に関する。
【０００２】
また本発明は、野菜屑を吸収体の芯に使用して、吸水調節機能、保水調節機能及び湿度調節機能を有する薄手又は厚手の吸収体及び該吸収体を使用するシート、マット又はシーツ等の薄手或いは厚手の吸水性の敷物又は包装材料に関し、例えば、植木鉢等に使用して、植物の育成に適する吸収体及び該吸収体を使用するシート、マット又はシーツ等の薄手或いは厚手の吸水性の敷物又は包装材料に関する。
このような本発明の野菜屑粉砕乾燥物、廃棄物配合材料粉砕物及び吸水性樹脂を利用した吸収体が使用される敷物としては、雨天の場合に使用される、屋根の無いイベント会場の雨による床の濡れ防止用吸水性マット、雨の日の自動車、列車若しくは飛行機などの乗り物の床の濡れ防止用吸水性マット、雨の日の病院、サービスエリア、デパート、ホテル、店舗、オフィスビル若しくはレジャー施設の床の濡れ防止用吸水性マット、冷蔵庫内の濡れの防止用吸水性マット、調理場の床の濡れの防止用吸水性マット、並びに炊事場又は調理場の生ゴミのドリップ吸収用の吸収シート、給水設備、給湯設備又は便器若しくは洗面具等の衛生器具を備える床の濡れ防止用吸水性マット、冷蔵庫の周囲の床の濡れの防止用吸水性マット、ガソリンスタンド若しくは厨房用の吸油性敷マット、レジャーマット若しくはマッサージ療法用シーツ、並びにベット用補助マットなどがある。またこの他に、吸収体が使用される包装用のシートとしては、野菜、青果物若しくは花卉類の保水又は調湿機能を有する包装材料、鮮魚、生肉、総菜食品又は弁当等の保水又は調湿機能を有する包装材料、並びに種子、菌株、幼苗若しくは球根の包装材料などがある。また、以上の他に、吸収体が使用される掃除用のシートとしては、機械類や窓や室内及び室外の掃除用、建築物の天井部、壁部、床部若しくは窓部等の結露及び濡れの拭き取り用のウエス又は雑巾として使用される吸水性マット又は吸水性シートがある。
【０００３】
そしてまた、本発明の野菜屑粉砕乾燥物及び吸水性樹脂を使用する吸収体は、園芸植物の栽培時における植物栽培用容器の水蒸発防止用の吸収体として、また吸収体の吸油性による廃油処理用の使い捨て用の廃油処理材として使用でき、また、このような本発明の吸収体は、敷物の内部の吸水部及び使い捨て用の吸収性マット又は吸水性マットの吸水部として使用できる。さらに、本発明の吸収体は、冷凍水産物の運搬の際に、水産物が氷解した水に濡れるのを防止する吸水性シート、又は鉢植えを被う水蒸発防止用の吸水性シート、鉢植えの下に敷く吸水性シート、水耕栽培用苗床、水槽の回りに配置する吸水性シート、結露防止用シート等に使用する吸水性シートとして使用でき、さらに、傘立ての受部等の滴の垂れる箇所に配置して、傘等から落ちる水滴を吸収する水滴吸収マットとして使用することができる。さらにまた、本発明の以上のような吸収体は、さらに衛生的に処理されて、紙おむつ、尿パッド、及び生理用ナプキン等の使い捨て用の衛生材料の吸水部材として使用でき、さらにまた、本発明の前記吸収体は、動物用シーツ、ペットシーツ等の愛玩動物用の排泄物処理材の吸水材として使用でき、さらに加えて、乗り物のヘッドカバー用のマットとして、又はヘルメット又は帽子内の蒸れ防止用マットとして、さらに、例えばウォシュレット便器での排便後のトイレットペーパーシートとして使用することができる。
【０００４】
【従来の技術】
従来、例えば、床の濡れは、布製の雑巾又は使い捨て用の雑巾や、雑巾、ウエス、スポンジ等の各種の吸収体を取り付けた棒雑巾を使用して拭かれており、また洗面所等の予め水等で濡れる箇所には、吸水性のマットを敷いて床の濡れるのを防止している。
また、一方、使い捨て用の人や動物用シーツには、前記不透水性膜の内側に接して表面側吸水性紙層部を設け、シーツ底部の不透水性薄層部の内側に接して、背面側吸水性紙層部を設け、前記上下の紙層部間に、高吸水性樹脂を含む紙粉が配置されている。
また、現在、例えば、青果市場からは残り野菜、レタスやキャベツ等の葉菜の表皮及び根菜の葉部などの廃棄野菜が大量に発生し、また、水耕栽培農工場からは、例えば、もやしやかいわれ大根などの野菜の不適格品が大量に発生し、さらに、給食センターや惣菜工場からは、ジャガイモの皮や果実の皮などの屑が大量に発生し、さらにまた、スーパーマーケットなどでのカット野菜の加工工程からは、切り屑や残り滓が大量に発生し、また、ジュース工場からは，人参や林檎やオレンジなどの絞り滓が大量に発生し、さらに、生産農家からは不適合品の屑野菜が大量に発生する。これらの野菜屑は、焼却処理されて埋め立て等に廃棄されるか、又は堆肥化されて堆肥として使用されている。
【０００５】
【発明が解決しようとする課題】
しかし、布製の雑巾や棒雑巾は、繰り返し使用するものであり、使用済みの雑巾を再使用できるようにするためには、濯いだり、また付着する水を絞って除いたり、濯ぐ水を取り替えたりするなどの多くの手間を要し問題である。また、従来の使い捨て用のシーツには、紙粉及び高吸水性樹脂が使用されており、殊に、紙粉には、パルプ粉砕物が使用されている。しかし、パルプ及びパルプ粉砕物は、最近では入手困難であり、しかも比較的高価となっているために、コスト的にその使用が難しく問題とされている。
そこで、使い捨て用のシーツでは、パルプ粉砕物を減少させると共に、パルプ粉砕物に代えて、高吸水性樹脂が使用されている。しかし、パルプ粉砕物を減少させて、高吸水性樹脂を使用した使い捨て用のシーツ等の吸収体は、パルプ粉砕物の使用量が少ないために、比較的薄く形成され、弾力性が乏しくなって、比較的堅い吸収体となり、使い捨て用のおむつ等にとって、パルプ粉砕物の減少が問題とされている。
また、一方、水産物を輸送する場合には、水産物を藁や紙の上に配置して搬送するが、氷解等により藁や紙が濡れ、搬送される水産物が濡れた藁や紙と接触を続けることとなって問題である。
【０００６】
さらに、野菜屑は、青果市場、水耕栽培農工場、給食センター、惣菜工場、ジュース工場及びスーパーマーケット等から大量に発生するが、何れも廃棄物として処理されており、その処理に多くの手間と費用を要し問題とされている。
本発明は、従来における、シーツやマット等に使用される吸収体の原材料及び弾力性に係る問題点、或いは野菜屑の処分に係る問題点を解決することを目的としている。
【０００７】
【課題を解決するための手段】
本発明者は、５ｍｍ以下の粒度の野菜屑粉砕乾燥物が、比較的弾力に富み、且つ良好な吸水性及び保水性を有して、また吸水性樹脂と混合することにより、成形が容易となり、さらに吸水能を高めることができて、吸収体の芯に使用する上で優れていることを発見して、本発明に至った。
また、本発明者は、５ｍｍ以下の粒度の野菜屑粉砕乾燥物を、廃棄物配合材料粉砕物に吸水性樹脂を配合して得られた成形物が、各種マット或いは人又は動物用シーツの吸収体として使用することにより、パルプ等を使用しなくても、比較的弾力性があって、吸水性及び保水性が大きい吸収体が得られることを発見して、本発明に至った。
【０００８】
本発明は、紙パルプを使用しないでも、又は紙パルプの使用量を少なくしても、吸水性及び弾力性を有する吸収体を提供し、また、この吸収体を使用して、吸水性及び弾力性を有する各種マット又は人若しくは動物用の各種シーツを提供し、紙パルプを使用しないで、弾力性を有し、かつ調湿作用を有する包装材料を提供し、さらに、保水作用及び調湿作用を有する植木鉢又は苗床を提供することを目的としている。
【０００９】
即ち、本発明は、表面を形成する表面側吸水性紙層部と、背面を形成する背面側吸水性紙層部と、前記表面側及び背面側吸水性紙層部間に設けられ、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物を主として含有して形成されている吸水性材料層部とを備えており、前記表面側吸水性紙層部、吸水性材料層部及び背面側吸水性紙層部は、合わせられて一体に形成されていることを特徴とする吸収体にあり、また、本発明は、表面を形成する表面側吸水性紙層部と、背面を形成する背面側吸水性紙層部と、前記表面側及び背面側吸水性紙層部間に設けられ、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び前記野菜屑粉砕乾燥物より少量の吸水性樹脂を含有して形成されている吸水性材料層部とを備えており、前記表面側吸水性紙層部、吸水性材料層部及び背面側吸水性紙層部は、合わせられて一体に形成されていることを特徴とする吸収体にあり、さらに、本発明は、表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、前記野菜屑粉砕乾燥物より少量の５ｍｍ以下の粒度の廃棄物配合材料粉砕物及び前記廃棄物配合材料粉砕物より少量の吸水性樹脂を含んで形成されている吸水性材料層部とを備えており、前記表面側吸水性紙層部、吸水性材料層部及び背面側吸水性紙層部は、合わせられて一体に形成されていることを特徴とする吸収体にある。
【００１０】
また、本発明は、表面を形成する表面側吸水性紙層部と、背面を形成する背面側吸水性紙層部と、前記表面側及び背面側吸水性紙層部間に設けられ、５ｍｍ以下の粒度を有し、葉菜屑、茎菜屑、根菜屑、果菜屑、花菜屑、香辛野菜屑、きのこ屑、山菜屑若しくは野草屑又はこれら二以上を含むものである野菜屑粉砕乾燥物を主として含有し、界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする吸収体にあり、さらに、本発明は、表面を形成する表面側吸水性紙層部と、背面を形成する背面側吸水性紙層部と、前記表面側及び背面側吸水性紙層部間に設けられ、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び前記野菜屑粉砕乾燥物より少量の吸水性樹脂を含有し、さらに界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする吸収体にあり、さらにまた、本発明は、表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、前記野菜屑粉砕乾燥物より少量の５ｍｍ以下の粒度の廃棄物配合材料粉砕物及び前記廃棄物配合材料粉砕物より少量の吸水性樹脂を含み、さらに界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする吸収体にある。
【００１１】
そして本発明は、表面を形成する透水性薄層部と、背面を形成する不透水性薄層部と、透水性薄層部及び不透水性薄層部の間に設けられている吸収体とを備え、前記吸収体が、その表面を、前記透水性薄層部の背面に接し、その背面を、不透水性薄層部の表面に接して配置されることにより形成されるシーツにおいて、前記吸収体は、表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、又は前記５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び野菜屑粉砕乾燥物より少量の吸水性樹脂、又は前記５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、野菜屑粉砕乾燥物より少量の５ｍｍ以下の粒度の廃棄物配合材料粉砕物及び前記廃棄物配合材料粉砕物より少量の吸水性樹脂を含み、さらに界面活性剤が付着されないで形成されているか又は界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とするシーツにあり、また本発明は、表面を形成する透水性薄層部と、背面を形成する透水性薄層部と、上下両透水性薄層部間に設けられている吸収体とを備え、前記吸収体が、その両外面を、前記両透水性薄層部の夫々の内面に接して配置されることにより形成されるシーツにおいて、前記吸収体は、表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、又は前記５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び野菜屑粉砕乾燥物より少量の吸水性樹脂、又は前記５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、野菜屑粉砕乾燥物より少量の５ｍｍ以下の粒度の廃棄物配合材料粉砕物及び前記廃棄物配合材料粉砕物より少量の吸水性樹脂を含み、さらに界面活性剤が付着されないで形成されているか又は界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とするシーツにある。
【００１２】
そしてまた、本発明は、表面を形成する透水性薄層部と、背面を形成する不透水性薄層部と、透水性薄層部及び不透水性薄層部の間に設けられている吸収体とを備え、前記吸収体が、その表面を、前記透水性薄層部の背面に接し、その背面を、不透水性薄層部の表面に接して配置されることにより形成される包装材料において、前記吸収体は、表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、又は前記５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び野菜屑粉砕乾燥物より少量の吸水性樹脂、又は前記５ｍｍ以下の平均粒度の野菜屑粉砕乾燥物、野菜屑粉砕乾燥物より少量の５ｍｍ以下の粒度の廃棄物配合材料粉砕物及び前記廃棄物配合材料粉砕物より少量の吸水性樹脂を含み、さらに界面活性剤が付着されないで形成されているか又は界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする包装材料にあり、さらに本発明は、表面を形成する透水性薄層部と、背面を形成する透水性薄層部と、上下両透水性薄層部間に設けられている吸収体とを備え、前記吸収体が、その両外面を、前記両透水性薄層部の夫々の内面に接して配置されることにより形成される包装材料において、前記吸収体が、表面を形成する表面側吸水性紙層部と、背面を形成する背面側吸水性紙層部と、前記表面側及び背面側吸水性紙層部間に設けられ、５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、又は前記５ｍｍ以下の平均粒度の野菜屑粉砕乾燥物及び野菜屑粉砕乾燥物より少量の吸水性樹脂、又は前記５ｍｍ以下の平均粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物、野菜屑粉砕乾燥物より少量の５ｍｍ以下の粒度の廃棄物配合材料粉砕物及び前記廃棄物配合材料粉砕物より少量の吸水性樹脂を含み、さらに界面活性剤が付着されないで形成されているか又は界面活性剤が少なくとも一部に付着して形成されている吸水性材料層部とを備えており、前記表面側吸水性紙層部、吸水性材料層部及び背面側吸水性紙層部は、合わせられて一体に形成されていることを特徴とする包装材料にある。
【００１３】
そしてまた、本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物を、背面側吸収紙の上に載置し、この載置された野菜屑粉砕乾燥物の上に表面側吸収紙を載置し、この重ねられた前記背面側吸収紙、野菜屑粉砕乾燥物及び表面側吸収紙を加圧して、一体に形成することを特徴とする吸収体の製造方法にあり、さらに本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、吸水性樹脂を混合して、吸水性混合物を形成し、この形成された吸水性混合物を、背面側吸収紙の上に載置し、この載置された吸水性混合物の上に表面側吸収紙を載置し、この重ねられた前記背面側吸収紙、吸水性混合物及び表面側吸収紙を加圧して、一体に形成することを特徴とする吸収体の製造方法にあり、さらにまた、本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、該野菜屑粉砕乾燥物より少ない量の５ｍｍ以下の粒度を有する廃棄物配合材料粉砕物及び吸水性樹脂を混合して、吸水性混合物を形成し、この形成された吸水性混合物を、背面側吸収紙の上に載置し、この載置された吸水性混合物の上に表面側吸収紙を載置し、この重ねられた前記背面側吸収紙、吸水性混合物及び表面側吸収紙を加圧して、一体に形成することを特徴とする吸収体の製造方法にある。
【００１４】
そして、本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物を、背面側吸収紙の上に載置し、この載置された野菜屑粉砕乾燥物に界面活性剤溶液を付着させ、この界面活性剤溶液を付着させた野菜屑粉砕乾燥物の上に表面側吸収紙を載置し、この重ねられた前記背面側吸収紙、野菜屑粉砕乾燥物及び表面側吸収紙を加圧して、一体に形成することを特徴とする吸収体の製造方法にあり、また本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、吸水性樹脂を混合して、吸水性混合物を形成し、この形成された吸水性混合物を、背面側吸収紙の上に載置し、この載置された野菜屑粉砕乾燥物に界面活性剤溶液を付着させ、この界面活性剤溶液を付着させた野菜屑粉砕乾燥物の上に表面側吸収紙を載置し、この重ねられた前記背面側吸収紙、吸水性混合物及び表面側吸収紙を加圧して、一体に形成することを特徴とする吸収体の製造方法にあり、さらに本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物に、該野菜屑粉砕乾燥物より少ない量の５ｍｍ以下の粒度を有する廃棄物配合材料粉砕物及び吸水性樹脂を混合して、吸水性混合物を形成し、この形成された吸水性混合物を、背面側吸収紙の上に載置し、この載置された吸水性混合物に界面活性剤溶液を付着させ、この界面活性剤溶液を付着させた吸水性混合物の上に表面側吸収紙を載置し、この重ねられた前記背面側吸収紙、吸水性混合物及び表面側吸収紙を加圧して、一体に形成することを特徴とする吸収体の製造方法にある。
【００１５】
そしてまた、本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物、前記５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び該野菜屑粉砕乾燥物より少ない量の吸水性樹脂の吸水性混合物、又は前記５ｍｍ以下の粒度を有し、葉菜屑、茎菜屑、根菜屑、果菜屑、花菜屑、香辛野菜屑、きのこ屑、山菜屑若しくは野草屑又はこれら二以上を含むものである野菜屑粉砕乾燥物、前記野菜屑粉砕乾燥物より少量の廃棄物配合材料粉砕物及び前記廃棄物配合材料粉砕物より少量の吸水性樹脂の吸水性混合物を、背面側吸収紙の上に載置し、この載置された吸水性混合物に界面活性剤溶液を付着させ、又は付着させないで、この吸水性混合物の上に表面側吸収紙を載置し、この重ねられた前記背面側吸収紙、吸水性混合物及び表面側吸収紙を加圧して、一体に形成することにより製造された吸収体の表面側吸収紙の上に不織布を配置し、背面側吸収紙の上にプラスチックフィルムを配置し、この配置された不織布及びプラスチックフィルムの少なくとも一部周囲を圧着することを特徴とするシーツの製造方法にあり、さらに本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物、前記５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び該野菜屑粉砕乾燥物より少ない量の吸水性樹脂の吸水性混合物、又は前記葉菜屑、茎菜屑、根菜屑、果菜屑、花菜屑、香辛野菜屑、きのこ屑、山菜屑若しくは野草屑又はこれら二以上を含むものである野菜屑粉砕乾燥物、５ｍｍ以下の粒度を有し、野菜屑粉砕乾燥物より少量の廃棄物配合材料粉砕物及び前記廃棄物配合材料粉砕物より少量の吸水性樹脂の吸水性混合物を、背面側吸収紙の上に載置し、この載置された吸水性混合物に界面活性剤溶液を付着させ、又は付着させないで、この吸水性混合物の上に表面側吸収紙を載置し、この重ねられた前記背面側吸収紙、吸水性混合物及び表面側吸収紙を加圧して、一体に形成することにより製造された吸収体の表面側吸収紙の上に不織布を配置し、背面側吸収紙の上に不織布を配置し、両面に配置された不織布の少なくとも一部周囲を圧着することを特徴とするシーツの製造方法にある。
【００１６】
そしてまた、本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物、前記５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び該野菜屑粉砕乾燥物より少ない量の吸水性樹脂の吸水性混合物、又は前記野菜屑粉砕乾燥物、５ｍｍ以下の粒度を有し、葉菜屑、茎菜屑、根菜屑、果菜屑、花菜屑、香辛野菜屑、きのこ屑、山菜屑若しくは野草屑又はこれら二以上を含むものである野菜屑粉砕乾燥物より少量の廃棄物配合材料粉砕物及び前記廃棄物配合材料粉砕物より少量の吸水性樹脂の吸水性混合物を、背面側吸収紙の上に載置し、この載置された吸水性混合物に界面活性剤溶液を付着させ、又は付着させないで、この吸水性混合物の上に表面側吸収紙を載置し、この重ねられた前記背面側吸収紙、吸水性混合物及び表面側吸収紙を加圧して、一体に形成することにより製造された吸収体の表面側吸収紙の上に不織布を配置し、背面側吸収紙を上にプラスチックフィルムを配置し、この不織布及びプラスチックフィルムが配置された吸収体を加圧成形することを特徴とする包装材料の製造方法にあり、さらに本発明は、５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物粒子を主として含有する野菜屑粉砕乾燥物、前記５ｍｍ以下の粒度の葉菜屑、茎菜屑、根菜屑、果菜屑、花菜屑、香辛野菜屑、きのこ屑、山菜屑若しくは野草屑又はこれら二以上を含むものである野菜屑粉砕乾燥物及び該野菜屑粉砕乾燥物より少ない量の吸水性樹脂の吸水性混合物、又は前記野菜屑粉砕乾燥物、５ｍｍ以下の粒度を有し、野菜屑粉砕乾燥物より少量の廃棄物配合材料粉砕物及び前記廃棄物配合材料粉砕物より少量の吸水性樹脂の吸水性混合物を、背面側吸収紙の上に載置し、この載置された吸水性混合物に界面活性剤溶液を付着させ、又は付着させないで、この吸水性混合物の上に表面側吸収紙を載置し、この重ねられた前記背面側吸収紙、吸水性混合物及び表面側吸収紙を加圧して、一体に形成することにより製造された吸収体の表面側吸収紙の上に不織布を配置し、背面側吸収紙を上に不織布を配置し、この両面に夫々不織布が配置された吸収体を加圧成形することを特徴とする包装材料の製造方法にある。
【００１７】
【発明の実施の形態】
本発明において、吸収体は、従来の吸収体と相違して、各種用途の吸収体として使用でき、また、直接シーツとして使用できると共に、シーツの吸収体としても使用できるものであり、さらに直接包装材料として使用できると共に、包装材料の吸収体として使用できるものである。本発明の吸収体を、シーツの吸収体として、また包装材料の吸収体として使用する場合には、本発明の吸収体は、シーツ又は包装材料に使用される大きさに製造され、その製造された吸収体の表面に、透水性の不織布を配置し、該吸収体の下に不透水性の防水シートや防水膜を配置して、該吸収体を透水性の不織布及び不透水性の防水シート等で包んだシート状及び一体に形成されたシート状に形成し、衛生的に処理して、例えば、動物用シーツとして、排泄時に尿等が漏れないようにすることができる。また、その他シーツとしては、例えば、休養及び就寝用などの各種のシーツなどに使用することができる。
【００１８】
本発明のシーツは、例えば、表面側若しくは背面側又は表面側及び背面側に透水性の薄層部材を配置してシート状に形成することにより、表面側若しくは背面側又は表面側及び背面側から水を吸収できるマットなどとすることができ、さらに包装材料としては、表面側若しくは背面側の片側の面から又は表面側及び背面側の両側の面から水分の吸収又は調整を行うことができる包装材料として使用することができる。この場合、吸収体は、その表面側には、表面を形成する表面側吸水性紙層部が設けられ、底部には、背面を形成する背面側吸水性紙層部が設けられる。本発明の吸収体において、表面側及び背面側設けられる吸水性紙層部は、吸水性がよく、吸水速度の大きい薄葉紙や衛生用紙等で形成されるのが好ましい。本発明の吸収体を用いて、シーツ又は包装材料とする場合には、吸収体の上部吸水性紙層部の上に配置されて表面を形成する透水性薄層部は、例えば、不織布で形成することができ、吸収体の下部吸水性紙層部の下に配置されて底面を形成する不透水性薄層部は、例えばプラスチックフィルムで形成することができる。本発明において、シーツ及び包装材料は、その用途に応じて、表裏がないように表面側及び背面側を共に透水性薄層部で形成することができる。本発明において、シーツ及び包装材料は、その用途に応じて、表裏を設けて、表面側を透水性薄層部で形成し、背面側を不透水性薄層部とすることができる。本発明において、透水性薄層部は、その目的の透水の程度に応じた透水機能を有する乾式法又は湿式法で作製された不織布で形成することができ、不透水性薄層部は、ポリエチレン樹脂、ポリプロピレン樹脂等のプラスチック材料製の不透水性のプラスチックフィルムで形成することができる。
【００１９】
本発明の吸収体において、表面側の吸水性紙層部及び背面側の吸水性紙層部間には、吸水性材料層部が設けられる。本発明において、吸水性材料層部は、５ｍｍ以下の粒度に粉砕され乾燥されている野菜屑粒子を主として含む野菜屑粉砕乾燥物で形成することができ、また、前記野菜屑粉砕乾燥物及び該野菜屑粉砕乾燥物より少ない量の吸水性樹脂を含む吸水性混合物で形成することができ、さらに、前記野菜屑粉砕乾燥物、該野菜屑粉砕乾燥物より少ない量の廃棄物配合材料及び該廃棄物配合材料より少ない量の吸水性樹脂を含む吸水性混合物で形成することができる。本発明においては、野菜屑粉砕乾燥物は、野菜屑を５ｍｍ以下の粒度に粉砕し、乾燥して製造することができ、又は野菜屑を乾燥後５ｍｍ以下の粒度に粉砕して製造することができる。５ｍｍ以下の粒度の野菜屑粉砕乾燥物粒子を主として含有する野菜屑粉砕乾燥物は、吸水機能及び保水機能を有するので、吸収体の吸水性材料層部に使用することができる。この場合、野菜屑粉砕乾燥物は、そのまま単独で、又は吸水性樹脂と混合し、又は廃棄物配合材料及び吸水性樹脂と混合して、吸収体の吸水性材料層部とすることができる。本発明において、このように、野菜屑粉砕乾燥物に吸水性樹脂又は廃棄物配合材料及び吸水性樹脂を混合することにより、吸収体の吸水機能及び保水機能を増加させることができる。
本発明において、吸収体は、従来の吸収体と同様に、エンボス加工等の加圧成形により、エンボス皺を形成して、比較的柔軟なシート状のものとすることにより、床の部分によく密着して、床の水滴等を吸収し易くできるので好ましい。
【００２０】
本発明において、この粉砕され乾燥された野菜屑粉砕乾燥物は、成形性に優れ、そのまま単独で、又は吸水性樹脂と混合し、又は廃棄物配合材料及び吸水性樹脂と混合して、吸水性材料層部として加圧してシート状にすることができる。例えば、紙おむつ廃材を粉砕して分離されたプラスチック廃材粉砕物を可成の量で配合しても、パルプや糊料を配合しないで、ただ吸水性樹脂を配合するだけで、簡単に加圧成形によりシート状にすることができる。本発明においては、野菜屑を５ｍｍ以下の粒度に粉砕し乾燥して、又は野菜屑を乾燥後５ｍｍ以下の粒度に粉砕された水分含有率が１０重量％以下の野菜屑粉砕乾燥物は、吸水性樹脂を加えて又は糊料を加えて、安定したシート形状に成形することができる。しかし、僅かに湿り気を与えることにより、例えば水分含有率を１０重量％以下、好ましくは４乃至２重量％の量で含有させることにより、野菜屑粉砕乾燥物及びプラスチック粉砕物に吸水性樹脂が馴染み易くなり、さらに成形が容易となるので好ましい。野菜屑粉砕乾燥物及び廃棄物配合材料の粒度は、細かい方が好ましく、例えば５ｍｍ以下の粒度、さらに好ましくは３ｍｍ以下の粒度とするのが、吸水性材料層部の感触及び加圧成形の上で好ましい。
【００２１】
本発明において、野菜屑の用語は、葉菜屑、茎菜屑、根菜屑、果菜屑、花菜屑、香辛野菜屑、きのこ屑、山菜屑若しくは野草屑又はこれら二以上を含むものを意味する。本発明において、野菜屑は、例えば、水耕栽培農工場からの不適格品、例えばもやし、かいわれ大根等の不適格品、青果市場からの各種野菜の残り物、例えば、白菜、レタス、キャベツ、ほうれん草等の葉菜の表皮や、大根、人参、牛蒡、蕪等の根菜の葉の部分、給食センターや惣菜工場からのジャガイモの皮や果実の皮等の各種野菜の廃棄部分、生産農家からの各種野菜についての不適合品である廃棄野菜、又は市場の各種野菜についてのコスト調整の廃棄野菜、ジュース工場からの人参などの野菜汁の絞り滓、又は林檎やオレンジなどの果汁の絞り滓、又はスーパーマーケット等のカット野菜の加工工程で発生する各種野菜の切り屑や残り滓等、又はこれらの二種以上の野菜屑を含む屑類がある。
【００２２】
これらの野菜屑は、５ｍｍ以下の粒度、好ましくは３ｍｍ以下の粒度、より好ましくは１乃至３ｍｍの粒度の粉砕乾燥物に形成される。このために、集められた野菜屑は、粉砕されるか又は乾燥される。野菜屑をより細かい粒子にしないためには、水分を保有する状態で粉砕するのが好ましい。水分を保有する状態で粉砕すると、野菜屑に含まれる水分は、一部分離されて排出される。この排水は、廃水処理されて排出される。本発明において、野菜屑の乾燥は、例えば、５０℃以上の温度で３０分以上の間加熱して、水分含有率が１０重量％以下となるまで乾燥される。乾燥条件は、野菜屑粉砕乾燥物の水分含有率が１０重量％以下となるように、乾燥温度及び乾燥時間を試験的に求めておくのが好ましい。
【００２３】
また本発明において、吸収体は、細菌等の繁殖を防止するために、また、吸収体に触れたときに、乾いた感触を与えるためにも、水分含有率が１０重量％以下とするのが好ましいが、水分含有率は、５重量％以下であるのがより好ましい。このような水分含有率にするため必要な吸収体の乾燥は、エンボス加工工程で吸収体を加熱することによって、行うことができる。
【００２４】
本発明において、野菜屑粉砕乾燥物に配合される廃棄物配合材料は、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、木材屑、鉋屑、不織布屑、プラスチックフィルム廃材、プラスチックシート廃材、プラスチック材料製不織布廃材若しくは紙おむつ廃材粉砕物から分離されたプラスチック材料に富む分離産物、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれら二以上を含む混合物を意味する。
【００２５】
本発明において、廃棄物配合材料は、プラスチック材料粉砕物及びプラスチック廃材粉砕物とすることができる。本発明において、プラスチック廃材の粉砕物としては、５ｍｍ以下の粒度に粉砕された厚さが２ｍｍ以下の合成樹脂繊維廃材の粉砕物、紐状合成樹脂廃材の粉砕物、フィルム状合成樹脂廃材の粉砕物、シート状合成樹脂廃材の粉砕物、紐状合成ゴム廃材の粉砕物、フィルム状合成ゴム廃材の粉砕物、シート状合成ゴム廃材の粉砕物又はラミネート紙廃材の粉砕物があり、またこれら二以上のプラスチック廃材粉砕物の混合物がある。また、これらのプラスチック廃材粉砕物以外の他のプラスチック廃材粉砕物としては、紙おむつ廃材粉砕物、乳パッド廃材粉砕物、尿パツド廃材粉砕物、又は生理用ナプキン廃材粉砕物などのプラスチック材料含有廃材粉砕物があり、またこれらの他に、プラスチック材料含有廃材粉砕物の二以上の混合物があり、プラスチック材料含有廃材粉砕物又はプラスチック材料含有廃材粉砕物の二以上の廃材粉砕物混合物について、分級処理して得られるプラスチック材料に富む分級産物プラスチック材料を含有するプラスチック材料含有廃材の粉砕物がある。
【００２６】
本発明において、プラスチック廃材粉砕物は、前記のプラスチック廃材の粉砕物又はその混合物、プラスチック材料含有廃材粉砕物若しくはその混合物又は前記プラスチック材料含有廃材粉砕物及びその二以上の混合物についてのプラスチック材料に富むプラスチック材料含有廃材粉砕物を意味する。プラスチック廃材粉砕物は、プラスチック材料の粉砕物をも包含する。衛生材料製造時に発生する裁断屑又は集塵ロスを、プラスチック材料含有廃材粉砕物とする場合には、吸水性樹脂又は高吸水性樹脂及びパルプ材料を小割合ながら含有するので、吸収体、該吸収体を使用するシーツ及び包装材料を形成する上で、水の吸収性及び保水性並びに加圧成形時の成形性が良くなるので好ましい。本発明において、プラスチック廃材粉砕物に混入するパルプ材料が、殺菌剤及び消臭剤を保有する場合には、形成された吸収体、該吸収体を使用するシーツ及び包装材料は、殺菌作用及び消臭作用を有することとなるので好ましい。
【００２７】
本発明において、５ｍｍ以下の粒度の野菜屑粉砕乾燥物に、該廃材粉砕物より少量の５ｍｍ以下の粒度に粉砕されたプラスチック廃材粉砕物を混合した吸水性材料層部を有する吸収体の場合には、プラスチック廃材粉砕物を混合することにより、吸水性及び保水性を増加し、また弾力性を増加することができる。また、本発明において、野菜屑粉砕乾燥物及びプラスチック廃材粉砕物混合物に界面活性剤を付着させると、該野菜屑粉砕乾燥物及びプラスチック廃材粉砕物混合物が、吸水速度を増加でき、保水性を増加させることができるので好ましい。５ｍｍ以下の粒度に粉砕されたプラスチック粒子に界面活性剤を付着させると、粉砕されたプラスチック粉砕物及び／又はプラスチック廃材粉砕物が、水に濡れ難い性質、即ち撥水性を有していても水に濡れ易くなり、吸水性及び保水性を増加させることとなる。本発明において、５ｍｍ以下の粒度の野菜屑粉砕乾燥物、５ｍｍ以下の粒度に粉砕されたプラスチック廃材粉砕物及び吸水性樹脂の混合物中のプラスチック廃材粉砕物の混合割合は、５０重量％以下である。しかし、野菜屑粉砕乾燥物の混合割合が大きくなるほど、吸収体の吸水性及び保水性に優れることとなるので、野菜屑粉砕乾燥物の混合割合は、例えば、５０重量％以上、好ましくは７０重量％以上、さらに好ましくは、８０重量％以上であるのが好ましい。
【００２８】
本発明において、５ｍｍ以下の粒度の野菜屑粉砕乾燥物及び該野菜屑粉砕乾燥物より少量の５ｍｍ以下の粒度に粉砕されたプラスチック廃材粉砕物及び前記プラスチック廃材粉砕物より少量の吸水性樹脂の混合物で形成される吸水性材料層部の少なくとも一部、例えば表面側に、界面活性剤を付着させることにより、吸水性材料層部の吸水速度及び透水速度を高めることができ、吸収体に吸収されないで吸収体の表面に残留する水の残留時間を著しく短縮することができる。本発明において、吸収体に付着させる界面活性剤の量は、吸収体１ｇあたり、０．０５ｇ以下、好ましくは、０．００９ｇ以下とするのが好ましい。吸収体に付着した界面活性剤の量が０．０５ｇより多いと、費用が嵩む上に、水の吸水性材料層部を通過する速度が大きくなって、水は吸水性材料層部に十分に吸収されずに吸水性材料層部を通過して不透水性層部上に溜まり、その後不透水性層部の上から吸水性材料層部に吸収されることとなる。水の吸水性材料層部を通過する通過速度を小さくさせて、水が吸水性材料層部に吸収されながら、不透水性層部に向けて移動させるためには、吸収体への界面活性剤の付着量は、０．００９ｇ以下とするのが好ましい。
したがって、本発明において、界面活性剤を付着させた吸収体を使用してシーツ又は包装材料としたときには、吸収体の表面側に配置された透水性薄層部、例えば不織布上に水が残留しないようにすることができ、不織布に比較的乾いた感触を与えることができるので好ましい。
【００２９】
本発明においては、吸収体の吸水速度を大きくするために、吸収体の表面側及び背面側は、吸水性紙層部により形成される。この吸水性紙層部は、その吸水速度を大きくするためであり、吸収紙、薄用紙若しくは衛生紙又はこれらの二種以上を組み合わせた紙が使用される。この紙には、湿式不織布若しくは乾式不織布を包含する。このような紙としては、例えばトイレットペーパー、衛生紙若しくは紙綿等のティッシュペーパー、レーヨン紙、湿式不織布若しくは乾式不織布又は複合紙等の一種以上の薄葉紙又は一種以上の吸収紙又はこれらの組み合わせにより形成することができる。例えば、吸水性紙層部は、一枚又は複数枚の薄用紙により形成することができる。吸水性紙層部は、複数枚の薄用紙により形成された吸収紙から形成する場合には、薄用紙を一枚づつ合わせて若しくは貼り合わせて形成され、又は予め合わせて一体にされた複数の薄葉紙により形成された吸収紙から形成することができる。薄葉紙の枚数を多くすると、吸収体の吸水速度を大きくすることができる。即ち吸収紙の坪量が大きいほど吸水性に優れるので好ましい。しかし、坪量が大きい吸収紙の使用は、費用が嵩むために、費用的に適度な範囲で、また適度な吸水性の範囲で、吸収紙を選択するのが好ましい。坪量は１８ｇ／平方メートル乃至１０ｇ／平方メートルとすることができる。この場合、薄葉紙については、水に濡れて発色する発色剤又は水と反応して発色する発色剤等の着色性物質により着色することができる。吸収紙としては、薄葉紙と化学繊維紙を貼り合わせ加工した吸収性を有する複合紙を使用することができる。
【００３０】
本発明におけるプラスチック廃材を使用する吸収体の場合、該吸収体の保水能力を大きくさせ、また弾力性を増加させるために、前記吸収体の前記表面側及び背面側の吸水性紙層部間に、５ｍｍ以下の粒度の野菜屑粉砕乾燥物、該野菜屑粉砕乾燥物より少量の５ｍｍ以下の粒度に粉砕されたプラスチック廃材粉砕物及び該プラスチック廃材粉砕物より少量の吸水性樹脂を含む吸水性材料層部が設けられる。前記表面側及び背面側の吸水性紙層部並びに吸水性材料層部は、一体に合わされて、又は一体に貼り合わされて、吸収体に形成することができ、時には、表面に、エンボス皺が形成されている吸収体に形成することができる。
【００３１】
吸収体に臭気等の除去機能をもたせるときは、いずれの組成の吸水性材料層部であっても、吸水性材料層部に、不良チタン紙粉砕物若しくはチタン紙廃材粉砕物、不良アルミナ紙粉砕物若しくはアルミナ紙廃材粉砕物、不良チタン酸カリウム紙粉砕物若しくはチタン酸カリウム紙廃材粉砕物、不良アルミナ・シリカ紙粉砕物若しくはアルミナ・シリカ紙廃材粉砕物又は不良炭素繊維紙粉砕物若しくは炭素繊維紙廃材粉砕物等の臭気除去機能を有する不良無機繊維紙の粉砕物又は無機繊維紙廃材の粉砕物又は前記粉砕物の二以上の混合物を配合することができる。
【００３２】
さらに本発明においては、吸収体に臭気等の除去機能を持たせるために、活性炭、タルク、ゼオライト粉末又はベントナイト等の無機質の吸着剤を，吸水性材料層部に配合することができる。またこれらの吸着剤の他に、吸収体に配合して、臭気等の除去機能を持たせるための脱臭剤もしくは消臭剤としては、フラボンを基本とするフラボン類、イソフラボンを基本とするイソフラボン類、フラボノールを基本とするフラボノール類、フラバノンを基本とするフラバノン類、フラバノールを基本とするフラバノール類、フラバン−３，４−ジオール、フラバン−３−オール、アントシアニジンを基本とするアントシアニジン類、オーロンを基本とするオーロン類、カルコンを基本とするカルコン類、ジヒドロカルコンを基本とするジヒドロカルコン類等を包含するフラボノイドがあり、また、これらの他に、リリース科学工業株式会社製のパンシルＢＡ−２１０−１（商品名）又は株式会社東海興産製のスメルナーク（商品名）などがある。
【００３３】
本発明において、前記表面側及び背面側の吸水性紙層部は、夫々、共に少なくとも一枚の吸水性に優れる薄葉紙で形成することができるが、吸水性を増加させるために、複数の薄葉紙を、一枚づつ合わせて又は貼り合わせて形成することができ、また、予め合わせて一体にされた複数の薄葉紙により形成することができる。薄葉紙は、水に反応して発色する発色剤により着色されているものとすることができる。
【００３４】
この吸収体を使用したシーツ又は包装材料の場合、表面を形成する部材は、その目的に応じて、乾式法又は湿式法により製造された不織布及びその他の透水性のある薄層部材とすることができる。透水性の薄層部材は、水透過の程度に応じた透水機能を有する湿式法又は乾式法により製造された不織布とすることができる。透水性薄層部の場合、外側に向く面即ち外面若しくは表面を水に濡れ易い性質になるように表面処理を行い、内側に向く面即ち内面若しくは裏面を水に濡れ難い性質になるようにすると、一旦、内側に吸収された水が、外側に滲み出ることを防止することができる。背面を形成する部材は、吸収体の背面側吸水性紙層部の背面に接して設けられものであり、不透水性のプラスチックフィルム等の不透水性の薄層部材により形成することができる。このような不透水性薄層部材としては、ポリエチレン樹脂、ポリプロピレン樹脂等のプラスチック材料製の不透水性のプラスチックフィルムで形成することができる。しかし、本発明において、植木鉢等の容器叉は包装材料の場合には、背面となる薄層部は、容器に入れるもの又は包装される材料に応じて、透水性の薄層部材で形成することができる。このように背面を透水性の薄層部により形成する場合には、水透過性の程度に応じた大きさの孔を有するプラスチックフィルム又は水透過の程度に応じた透水機能を有する湿式法又は乾式法により製造された不織布とすることができる。
【００３５】
このように吸収体表面側及び底部の部材を水透過性に構成すると、例えば、雨等で濡れた床面に配置することにより、床面を濡らす水を自動的に吸い取ることができ、床面の濡れを拭き取る必要がなくなり、床の濡れを拭う手間を省くことができる。このように透水性の薄層部を有するシーツは、乗り物の敷物、傘立ての敷物、洗面所の敷物、便器の周囲等の敷物として使用して、夫々の床の濡れを防止することができる。また、透水性の薄層部を、複数の毛細管状の細かい孔を有する材料により形成すると、例えば青果物又は鮮魚等を包装するのに使用される下敷き若しくは中敷き等の敷物及び包装材料として使用するときに、透水性薄層部の所望寸法の孔を通して、包装される青果物や鮮魚等の被包装材料の水分が移動し、被包装材料の水分の量を適度に調整することができる。また、吸収体に付与される水分の量を適度に調整する機能は、植木鉢に形成して植木等の植物の育成に好ましい。
【００３６】
本発明において使用される吸水性樹脂としては、製品としての高吸水性樹脂の他に、高吸水性樹脂を含有する５ｍｍ以下、好ましくは３ｍｍ以下に粉砕された紙おむつ廃材粉砕物、乳パツド廃材粉砕物、尿パッド廃材粉砕物、生理用ナプキン廃材粉砕物、吸収性繊維又はラミネート紙廃材粉砕物或いは前記粉砕物の二以上の混合物をその侭使用することができ、また前記の廃材粉砕物及び廃材粉砕物の混合物から分級処理により分別された高吸水性樹脂に富む分離産物を使用することができる。
したがって、本発明において、吸水性樹脂は、例えば、不良紙おむつを含めた紙おむつ廃材、不良乳パッドを含めた乳パッド廃材、不良尿パッドを含めた尿パッド廃材の粉砕物若しくは不良生理用ナプキンを含めた生理用ナプキン廃材粉砕物又は前記廃材粉砕物の二以上の混合物についての分級処理により、高吸水性樹脂に富む分離産物として回収された所謂再生吸水性樹脂、又は前記再生高吸水性樹脂の二以上の混合物などがある。不良高吸水性繊維を含めた高吸水性繊維廃材粉砕物これらの衛生材料製造時に発生する裁断屑又は集塵ロスは、其の侭粉砕されて吸水性樹脂として使用されるが、これらは、吸水性樹脂の含有量が少ないので、前記裁断屑の粉砕物や集塵ロスを使用するときは、吸水性樹脂又は高吸水性樹脂を添加混合することが必要である。
本発明において、衛生材料中には、吸水性樹脂は、一般にパルプ材料と一緒に存在している。殺菌性及び消臭性を有するパルプ廃材を含有する衛生材料の廃材中の吸水性樹脂を使用すると、殺菌作用及び消臭作用を及ぼす物質が存在するので、殺菌及び消臭が行われるので好ましい。
【００３７】
本発明においては、吸収体並びに該吸収体を使用するシーツ及び包装材料の質感及び弾力感を増すために、吸水性材料層部には、５ｍｍ以下の粒度の野菜屑粉砕乾燥物、野菜屑粉砕乾燥物及び該野菜屑粉砕乾燥物より少量の吸水性樹脂、野菜屑粉砕乾燥物及び該野菜屑粉砕乾燥物より少量の５ｍｍ以下の粒度に粉砕されたプラスチック廃材粉砕物の量を多くすることができる。吸水性材料層部における吸水性樹脂の量は、３０重量パーセント以下とするのが好ましい。吸水性樹脂の価格は比較的高いので、吸水性材料層部における吸水性樹脂の含有率を例えば１０重量パーセント以下とするのが、さらに好ましく、またさらに５重量パーセント以下とするのが好ましい。本発明においては、吸水性材料層部における吸水性樹脂の含有率を、例えば５重量パーセント以下としても、５ｍｍ以下の粒度の野菜屑粉砕乾燥物が保水性及び吸水性を有し、さらに５ｍｍ以下の粒度に粉砕されたプラスチック廃材粉砕物にあっても、かなりの保水性を有するので、吸水性樹脂の含有率が低下した分の保水性及び吸水性を補うことができる。
【００３８】
本発明においては、吸収体の水の通過速度及び吸収速度を増加させるために、吸収体又は吸水性材料層部には、界面活性剤を付着叉は添加することができる。このように、本発明においては、界面活性剤を吸収体又は吸水性材料層部に付着させることにより、吸収体上に溜まる水分を速やかに吸収させることができる。
界面活性剤としては、ドデシルベンゼンスルホン酸ナトリウム等の陰イオン界面活性剤が好ましいが、これらの外にラウリルトリメチルアンモニウムクロライド等の陽イオン界面活性剤、オクチルフェニールエーテル等の非イオン界面活性剤などがある。
【００３９】
本発明においては、シーツを形成する場合には、溌水性の不織布層部を、吸収体の表面上に形成すると、シーツの表面の不織布層部が濡れても、該不織布層部上から侵入した水は、不織布層部の撥水性により吸収体から水が滲み出るのを防止することができるので好ましい。本発明においては、吸収体及びシーツの吸水能力を大きくするために、吸収体の表面側及び背面側には、薄葉紙で形成された吸水性紙層部が設けられる。吸収体の保水能力を大きくするために、前記表面側及び背面側の吸水性紙層部間に、野菜屑粉砕乾燥物、紙廃材粉砕物、プラスチック廃材粉砕物及び吸水性樹脂を含む吸水性材料層部が設けられ、前記表面側及び背面側の吸水性紙層部並びに吸水性材料層部は、一体に貼り合わされて吸収体が形成される。
【００４０】
本発明において、表面側吸水性紙層部、背面側吸水性紙層部、並びに前記表面側及び背面側の紙層部間に設けられている５ｍｍ以下の粒度の野菜屑粒子を含む野菜屑粉砕乾燥物及び吸水性樹脂を含む吸水性材料層部は、エンボスを付されて比較的柔軟な板状体に加圧成形することができる。このように比較的柔軟な板状体とすることにより、床の部分によく密着して、床の水滴等を吸収し易くなるので好ましい。本発明においては、吸水性材料層部に５ｍｍ以下の粒度の野菜屑粉砕乾燥物を含有させることにより，得られる吸収体及びシーツ等に、弾力性を与えることができる。
【００４１】
本発明において、シーツは、表面を形成する透水性薄層部を有しており、この透水性薄層部は、例えばポリプロピレン、ポリエチレン、ナイロン若しくはビニロン等のプラスチック繊維製の不織布又はポリエチレン、ポリプロピレン、塩化ビニル樹脂等のプラスチック材料製の多孔膜で形成することができ、背面側は、不透水性のプラスチックフィルム層部であり、プラスチックフィルム層部は、吸収体の場合と同様に、ポリエチレン、ポリプロピレン等のプラスチック製のフィルム等の不透水性の薄層部で形成することができる。本発明において、前記透水性薄層部の内側には、その内側面に接して吸水性紙層部を設けることができる。本発明において、透水性薄層部は、殺菌性及び消臭性が付与されたものを使用すると、使用中に、付着する汗や尿などにより発する臭気を減少させるので好ましい。また、本発明において、生分解プラスチック材料の不透水性膜及び透水性膜層部、並びに生分解プラスチック材料含有の吸水性材料層部を使用すると、得られた吸収体、シーツ及び包装材料を土中に埋めて廃棄することができるので好ましい。本発明の包装材料において、上下両面を透水性とする場合には、上下両面を、不織布等の透水性薄層部とすることができる。
本発明において、透水性薄層部は、例えば、２５ｍｌの水を、例えば洗浄壜のノズルより、１０秒以内に、直径２ｃｍの円内に注入したときに、その全量が透過する時間が２０秒以内のものが好ましく、ここで透過する時間、即ち透水性はさらに短くなる程好ましい。
【００４２】
本発明において、吸水性紙層部は、吸収紙、吸収紙又はクレープ紙等の薄葉紙で形成されるのが、良好な吸水性を確保できるので好ましい。また、本発明において、吸収紙には、パルプと化学繊維を液中に分散させ、抄紙して製造した複合紙を使用することができる。薄葉紙に例えばポリプロピレン製の化学繊維紙等の化学繊維紙を貼り合わせた吸水性又は透水性を有する複合紙を使用することができる。
本発明において、吸収体は、その表面側を前記透水性薄層部の背面に接して設け、また、その背面側を、その侭として、吸収体の底部とすることができる。しかし、この場合、前記背面側に接して不透水性のプラスチック製の薄層部を形成して、底面を補強することができる。この場合には、前記吸収体は、その背面側に接して設けられる前記不透水性のプラスチック製の薄層部と、吸収体の表面側に接して設けられる透水性薄層部とで囲まれた状態に形成することができる。
【００４３】
シーツ又は包装材料において、底面からの水等の液の吸収を図る必要性がある場合には、底面に目的の透水性を付与するために、底部を透水性薄層部とすることができる。
本発明において、吸収体は、その表側及び裏側の夫々に吸収紙等の薄葉紙により吸水性紙層部が形成される。吸収紙等の薄葉紙は、例えば、一枚の坪量が１２．５ｇ／平方メートルのティシュペーパとすることができ、上下に夫々一枚宛配置することができる。本発明において、吸収体が、人用若しくは動物用シーツ又は人用若しくは動物用の紙おむつに使用されるシーツとして使用されるときは、例えば、表面の吸収紙を二枚とし、最表面側に位置する吸収紙を検査用着色性物質を付着させて検査用吸収紙とすることができる。また、この場合、吸収体は、衛生的であるように、消毒等の処理されるのが好ましい。また、薄葉紙として、殺菌性を有する薄葉紙を使用すると、吸収体、シーツ及び包装材料の使用において、吸収体、シーツ又は包装材料に付着する汗や尿などにより発する臭気を減少させるので好ましい。
【００４４】
本発明において、吸水性樹脂の用語は、高級水性樹脂の他に、高級水性樹脂に比して吸水能力が低い吸水性樹脂をも意味する。
本発明において使用される吸水性樹脂は、人工尿で自重の３０倍から１００倍程度の水を吸収しても、形を保持できる高吸水性樹脂であるのが好ましい。このような高吸水性樹脂としては、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これらは、吸水性材料粉に単独で又はこれら２種以上を混合して使用される。廃油処理等に使用する場合は、吸油性の高い吸水性樹脂が使用される。
【００４５】
本発明において、廃材に含ませる吸水性樹脂は、吸水性の高い所謂高吸水性樹脂を使用すると、その使用量を少なくできるので好ましい。
本発明において、不良紙おむつ廃材の吸水性樹脂に富む分級産物を使用すると、該分級産物に含まれる高吸水性樹脂の量は、１４乃至２８重量％程度に達するので、高い吸水性を維持することができるので好ましい。
例えば、紙おむつ廃材から回収された再生高吸水性樹脂含有物は、人工尿で吸水倍率が１０〜３０ｇ／ｇとその吸水性能は乏しいが、吸収体用の吸水性樹脂としては、この程度の吸水性能で十分である。この場合、使用される再生高吸水性樹脂の粒度は、５０乃至５００μｍであるのが好ましい。
【００４６】
【作用】
本発明において、吸収体は、吸収体は、例えば、表面を形成する表面側吸水性紙層部と、背面を形成する背面側吸水性紙層部と、前記表面側及び背面側吸水性紙層部間に設けられ、５ｍｍ以下の粒度の野菜屑粉砕乾燥物、５ｍｍ以下の粒度の野菜屑粉砕乾燥物及び前記野菜屑粉砕乾燥物より少量の吸水性樹脂、又は５ｍｍ以下の平均粒度の野菜屑粉砕乾燥物、前記野菜屑粉砕乾燥物より少量の５ｍｍ以下の粒度の廃棄物配合材料粉砕物及び前記廃棄物配合材料粉砕物より少量の吸水性樹脂を含んで形成されている吸水性材料層部とを備えており、前記表面側吸水性紙層部、吸水性材料層部及び背面側吸水性紙層部は、合わせられて一体に形成されているので、吸収体を比較的安価に製造でき、吸収体に付着する水を比較的短時間に吸収することができ、また床の上に配置して、吸収体は、床に落ちる水滴を吸収するが、何れの場合にも、吸収後、吸収体の表面は比較的乾いた状態を維持する事ができ、また、床が濡れるのを防止することができる。
したがって、例えば、露天のイベント会場の床や運動場の地面の雨による濡れの防止、調理場の床、洗面所の床、冷蔵庫の周囲の床、及びトイレの床等に敷いて、床の水滴を吸収して、床の濡れを防止することができる。また例えば、ベット用補助マットに使用して、夜尿症の患者のベットの濡れを防止することができる。建築物の天井部、壁部又は窓部等の結露の拭き取り用の吸水性マットとして使用して、窓等の結露を除去することができる。また園芸用の水の蒸発防止用の吸水性マットとして、予め湿らせて鉢植え等に被せて使用すると、保水による鉢植えからの水の蒸発を防止することができる。吸水性マットを例えば水産物の下に敷いて、又は吸水性マットを袋状に形成して、水産物を包んで、水産物を氷解した水に接触することなく運搬することができる。
【００４７】
また本発明において、吸収体は、例えば、表面を形成する表面側吸水性紙層部と、背面を形成する背面側吸水性紙層部と、前記表面側及び背面側吸水性紙層部間に設けられ、５ｍｍ以下の粒度の野菜屑粉砕乾燥物、５ｍｍ以下の粒度の野菜屑粉砕乾燥物及び前記野菜屑粉砕乾燥物より少量の吸水性樹脂、又は５ｍｍ以下の平均粒度の野菜屑粉砕乾燥物、前記野菜屑粉砕乾燥物より少量の５ｍｍ以下の粒度の廃棄物配合材料粉砕物及び前記廃棄物配合材料粉砕物より少量の吸水性樹脂を含んで形成されている吸水性材料層部とを備えており、前記表面側吸水性紙層部、吸水性材料層部及び背面側吸水性紙層部は、合わせられて一体に形成されているので、パルプ材料を使用しないでも、弾力性を有する吸収体を得ることができ、シーツに使用して、弾力性のあるシーツをを得ることができる。したがって、本発明は、所定の形状及び弾力性を保って、床に落ちる水滴を吸収でき、例えば、水場の濡れを解消することができる。したがって、本発明の吸収体を使用するシーツは、例えば傘立ての受部に使用すると、濡れた傘から流れ落ちる水滴を吸収するので、傘立てに水が溜まることがなくなる。
【００４８】
本発明において、包装材料は、表面側吸水性紙層部と背面側吸水性紙層部との間に配設される５ｍｍ以下の粒度の野菜屑粉砕乾燥物を及び前記野菜屑粉砕乾燥物より少ない量の高吸水性樹脂を含む吸水性材料層部に、チタン紙廃材の粉砕物、アルミナ紙廃材の粉砕物、チタン酸カリウム紙廃材の粉砕物、アルミナ・シリカ紙廃材の粉砕物若しくは炭素繊維紙廃材などの無機繊維紙廃材の粉砕物又は前記無機繊維紙廃材粉砕物の二以上の混合物を臭気除去材として、その一部に使用するので、吸収体中の無機繊維紙廃材粉砕物の臭気除去機能により、本発明のシーツは、使用時にシーツに発生する臭気を除去することができ、使用後のシーツの臭気を緩和することができる。また、本発明の包装材料は、青果物の包装に使用するときは、青果物より発生する成熟ホルモンのエチレンを除去することにより、青果物の新鮮さを保持することができる。
本発明において、透水性とは、透水する性質を意味し、例えば、２０秒以下で水又は疑似尿の一定量（２５ｍｌ）を２ｃｍの円内に注入したときに、その全量の水又は疑似尿が透過するに要する時間（秒）で求められ、透過する時間の短い方が長い方より透水性に優れる。
【００４９】
【実施例】
以下、本発明の実施の態様の例を説明するが、本発明は、以下の説明及び例示によって何等制限されるものではない。
図１は、本発明の一実施例の一層の吸水性材料層部を有する吸収体の断面構造の概略を示す概略の部分断面図である。図２は、前記図１に示す実施例の吸収体の断面構造を有する本発明の一実施例の吸収体についての幅方向の概略の断面構造を示す断面図である。図３は、前記図１に示す実施例の吸収体の断面構造を有するが、図２に示す実施例の吸収体とは異なる本発明の他の一実施例の吸収体についての幅方向の概略の断面構造を示す断面図である。図４は、前記図２に示す実施例の吸収体を使用する本発明の一実施例の人用若しくは動物用の使い捨ておむつ用シーツ、人用若しくは動物用のシーツ、吸収性マット又は包装材料用のシーツについての幅方向の概略の断面構造を示す断面図である。図５は、前記図３に示す実施例の吸収体を使用する本発明の他の一実施例の人用若しくは動物用の使い捨ておむつ用シーツ、人用若しくは動物用のシーツ、吸収性マット又は包装材料用のシーツについての幅方向の概略の断面構造を示す断面図である。図６は、前記図１に示す本発明の実施例の吸収体を使用する本発明の一実施例の人用若しくは動物用の使い捨ておむつ用シーツ、人用若しくは動物用のシーツ、吸収性マット又は包装材料用のシーツを製造する工程を示す概略の工程図である。図７は、図６に示す動物用シーツを製造する工程の詳細な工程の概略を示す工程図である。図１乃至図７において、対応する箇所には同一の符号が使用されている。
【００５０】
図１は本発明の一実施例の吸収体について、その概略の構造を示す概念図である。図１に示す本発明の一実施例において、吸収体１は、背面側吸収紙２の上に吸水性材料層部３が位置し、該吸水性材料層部３の上に表面側吸収紙４が位置して一体に形成されている。本例における吸収体１は、背面側吸収紙２の上に吸水性材料層部３を形成し、この形成された吸水性材料層部３の上に表面側吸収紙４を配置して、これら全体を加圧成形して一体に形成する。
【００５１】
図２に示す実施例においては、背面側吸収紙２は、その幅方向が、表面側吸収紙４の幅方向の長さより大きく形成されている。これは、本例の吸収体において、背面側吸収紙２の上に吸水性材料層部を形成し、その上に表面側吸収紙を配置したところで、背面側吸収紙の幅方向の両端部５を、表面側吸収紙４の両端部６上に折り重ねて、背面側吸収紙の端部５を表面側吸収紙の端部６に接着するためであり、これにより、背面側吸収紙２の上に載置された吸水性材料層部３を安定させることができる。
【０００５２】
図３に示す実施例においては、表面側吸収紙４は、その幅方向において、背面側吸収紙２と互いに端部が重なり合うように、表面側吸収紙４と背面側吸収紙２を、幅方向の長さが略等しく形成することができる。このようにすると、背面側吸収紙２の上に吸水性材料層部３を載置し、その上に表面側吸収紙を配置したところで、背面側吸収紙の幅方向の両端部５を、表面側吸収紙４の両端部６上に重ね合わせて、背面側吸収紙の端部５を表面側吸収紙の端部６に接着することができる。本例においては、これにより、背面側吸収紙２の上に載置された吸水性材料層部３を安定させることができ、また、加圧成形時に、背面側吸収紙２及び表面側吸収紙４の幅方向の端部を互いにホットメルト接着により接着することができる。
【００５３】
例１
図１乃至３に示す実施例において、吸収体１は、その侭、吸収体として使用可能であり、また、吸収性マット、各種シーツ及び包装材料の吸収体として使用可能である。
本例の吸収体１は、例えば、幅３３０ｍｍ、長さ６００ｍｍであり、包装材料や育苗ポットに使用される吸収体である。
本例において、吸収体１は、表面及び背面が薄葉紙で形成される事例であり、幅３７０ｍｍ、長さ６００ｍｍの寸法の吸収紙（坪量：１４ｇ／平方メートル）を背面側吸収紙２に使用して底面を形成しており、該背面側吸収紙２の上に、５ｍｍ以下の粒度に粉砕され乾燥された野菜屑粉砕乾燥物１４０ｇを載置して、吸水性材料層部３が形成されている。
本例において、吸水性材料層部は、野菜屑粉砕乾燥物により形成されており、本例において、補野菜屑粉砕乾燥物は、根菜の葉部屑５０重量％並びにキャベツ及びレタスの表皮屑５０重量％を、５ｍｍスクリーンを通して混合粉砕し、次いで、熱風乾燥機により水分含有率が１０重量％以下に乾燥し、さらに乾式解繊機により、３ｍｍ以下の平均粒度に粉砕して製造される。
この吸水性材料層部３の上には、薄葉紙で形成され、幅３２０ｍｍ、長さ６００ｍｍの寸法の吸収紙（坪量：１４ｇ／平方メートル）が表面を形成する表面側吸収紙４として載置されている。これら背面側吸収紙２、吸水性材料層部３及び表面側吸収紙４がこの順に重ね合わされた積層物は、一体に加圧成形されて吸収体１を形成する。加圧成形により形成された吸収体１は、加圧成形時に、その表面側吸収紙４及び背面側吸収紙２に、例えばエンボス皺（図示されていない）が形成される。得られた吸収紙は、幅が３３０ｍｍであり、長さが６００ｍｍであった。
この吸収体の全面をポリプロピレン不織布で包んで、外寸で、幅３４０ｍｍ、長さ６５０ｍｍの包装材料を作製した。この包装材料により野菜運搬を行ったが、従来の野菜運搬用シートに比して、変わるところなく使用することができた。
【００５４】
図１乃至図３に示す実施例において、背面側吸収紙２は、その幅方向が、表面側吸収紙４の幅方向の長さより大きく形成されており、成形前に、背面側吸収紙２の幅方向の両端部５を、表面側吸収紙４の両端部６上に折り重ねられ、続く加圧加熱工程において、加熱圧着される（図２参照）。
しかし、表面側吸収紙４は、その幅方向において、背面側吸収紙２と互いに端部が重なり合うように形成することができる。このように表面側吸収紙４と背面側吸収紙２の幅方向の長さを略等しく形成すると、加圧成形時に、表面側吸収紙４と背面側吸収紙２の幅方向の端部を、互いにホットメルト接着法により接着することができる（図３参照）。
【００５４】
例２
図１乃至図３に示す実施例において、吸収体１は、表面及び背面がレーヨン紙で形成されている。本例において、幅３７０ｍｍ、長さ６００ｍｍの寸法のレーヨン紙（坪量：４０ｇ／平方メートル）を背面側吸収紙２に使用して底面が形成されており、該背面側吸収紙２の上に、例１で作製された、３ｍｍ以下の平均粒度の野菜屑粉砕乾燥物２００重量部、製本時に発生するバフ粉１００重量部及びタピオカα澱粉（松谷化学工業株式会社製）５０重量部の混合物（３５０ｇ／平方メートル）を載置して、吸水性材料層部３を形成する。この吸水性材料層部の上に同寸法で、同坪量のレーヨン紙を載置して、背面側吸収紙２、吸水性材料層部３及び表面側吸収紙４がこの順に重ね合わされた積層物を形成し、次いでこの積層物を、一体に加圧成形して吸収体１を形成する。加圧成形により形成された吸収体１は、４３０ｇ／平方メートルであり、加圧成形時に、その表面側吸収紙４及び背面側吸収紙２に、例えばエンボス皺（図示されていない）が形成される。
【００５５】
本例においては、加圧成形時に、表側になるレーヨン紙の表面に、結合剤として、澱粉、熱可塑性樹脂、エチルセルロース又はビニルアルコールの５％溶液を、１平方メートルあたり５乃至２０ｍｌ、好ましくは１０ｍｌを全面に均等に噴霧した。この結合剤が噴霧された吸収体を、金型に入れて加熱成形して、育苗ポットを作製した。この育苗ポットは、通常の育苗ポットと同様に使用できた。本例の育苗ポットは野菜屑が主成分であるので、使用後は土壌中で完全に分解し消滅した。
【００５６】
例３
図４及び図５に示す実施例は、野菜、鮮魚、果実叉は花卉用のガス吸収性包装材料、動物用シーツ又は水吸収性マツトとして使用するシーツ、シート又はマツトの例である。
図４に示す実施例におけるシーツ、シート又はマツトにおいて使用される吸収体１は、図２に示すように、背面側吸収紙２の上に吸水性材料層部３を設け、その吸水性材料層部３の上に表面側吸収紙４を重ねて配置し、該表面側吸収紙４の端部６の上に前記背面側吸収紙２の端部５を重ねて形成されている。本例のシーツは、表面側吸収紙４の上に、不織布１２を配置し、吸収体１の下面側吸収紙２の下にプラスチックフィルム１１を配置して、不織布１２の端部１４とプラスチックフィルム１１の端部１３は、ホットメルト接着法により接着されている。
図５に示す実施例におけるシーツ、シート又はマツトにおいて使用される吸収体１は、図３に示すように、背面側吸収紙２の上に吸水性材料層部３を設け、その上に表面側吸収紙４を配置し、該表面側吸収紙４の端部６と前記背面側吸収紙２の端部５とを重ねて形成されている。本例のシーツは、表面側吸収紙４の端部６と吸収体１の表面側吸収紙４の上に、不織布１２を配置し、吸収体１の下面側吸収紙２の下にプラスチックフィルム１１を配置して、不織布１２の端部１４とプラスチックフィルム１１の端部１３は、ホットメルト接着法により接着されている。
【００５７】
図４及び図５に示す実施例において、シーツ１０は、動物用シーツであり、例えば、外寸で、幅３００ｍｍ、長さ４５０ｍｍに形成されている。
本例において、吸収体１は、表面及び背面が薄葉紙で形成される事例であり、本例においては、坪量が１４ｇ／平方メートルの薄用紙を、背面側吸収紙２及び表面側吸収紙４に使用して夫々、背面及び表面を形成した。この背面側吸収紙２及び表面側吸収紙の間に、３ｍｍ以下の粒度に粉砕され乾燥された野菜屑粉砕乾燥物３５重量％、３ｍｍ以下の粒度に粉砕された紙おむつ規格外品粉砕物３０重量％、３ｍｍ以下の粒度に粉砕されたパルプ系不織布屑粉砕物３０重量％及び吸水性樹脂５重量％の混合物を載置して、背面側吸収紙２及び表面側吸収紙の間に吸水性材料層部３を形成する。この背面側吸収紙２、吸水性材料層部３及び表面側吸収紙４がこの順に重ね合わされた積層物を、一体に加圧成形して吸収体１を形成する。加圧成形により形成された吸収体１は、加圧成形時に、その表面側吸収紙４及び背面側吸収紙２に、例えばエンボス皺（図示されていない）が形成される。
【００５８】
本例においては、吸収体１又はその吸水性材料層部３の表面側には、陰イオン界面活性剤のドデシルベンゼンスルホン酸ナトリウム１ｍｌを７４ｍｌの水で希釈したドデシルベンゼンスルホン酸ナトリウム溶液の１．５ｍｌを噴霧した層（図示されていない）を形成する。したがって、本例においては、この界面活性剤溶液が噴霧された吸水性材料層部３の上に、表面側吸収紙４の１４ｇ／平方メートルが配置されている。この吸収体を２０ｇ／平方メートルのポリエチレンフィルム上に載置し、該吸収体の上を目付１８ｇ／ポリプロピレン不織布で覆い、全体を加熱圧着し、外寸で、幅３００ｍｍ、長さ４５０ｍｍの動物用シーツを作製する。このように作製された吸収体について、疑似尿２５ｍｌを注射器により１０秒以内に吸収体の一点に加えて、一点に加えられた疑似尿が、吸収体に吸収されないで表面に残留する時間を測定したところ全量が吸収されるに要した時間は約１乃至２秒であった。この結果は、従来のパルプ及び高吸水性樹脂を使用した吸収体と同様であった。
また、この動物用シーツついては、室内において、小型犬のヨークシャテリアで使用したが、従来の動物用シーツに比して、変わるところなく使用することができた。
【００５９】
本例のシーツ１０について、吸水テストが行われた。本例における吸水テストは、疑似尿又は水２５ｍｌを注射器により１０秒以内に吸収体の一点に加えて、一点に加えられた疑似尿又は水が、吸収体に吸収されないで表面に残留する時間を測定して行われた。界面活性剤を付着させた吸収体は、界面活性剤を付着させない場合に比して、疑似尿の残留時間は１／４ほど短縮され、界面活性剤の使用が有効であることが確認された。
【００６０】
例４
図６は、図４叉は５に示した包装材料等に使用されるシーツを製造する実施例の工程を示している。
野菜屑は、水耕栽培農工場からの不適品として、また、青果市場建築現場から廃棄野菜として、さらに、惣菜工場又は給食センターからの野菜調理屑として、ジュース工場からの野菜や果実の絞り粕として、原料受け入れ部１５に集められる。集められた野菜屑は、原料受け入れ部１５に接続する搬送路１６から原料投入部１７に搬送される。原料投入部１７に搬送された野菜屑は、原料投入部１７に接続する粉砕部供給路１８から粉砕工程１９に送られる。粉砕工程１９にはの湿式粉砕機及び熱風乾燥機（共に図示されていない）が設けられており、粉砕工程１９に供給された野菜屑は、まず前記湿式粉砕機により、３ｍｍ以下の粒度に粉砕され、次いで、この粉砕物は熱風乾燥機に送られて、５０乃至１００℃の温度、好ましくは、８０℃の熱風により水分含有率が１０重量％まで、例えば、１０乃至１５分間通して乾燥される。３ｍｍ以下の粒度に粉砕され乾燥された各種野菜屑粉砕乾燥物は、粉砕工程１９とストック瓶２１を接続する粉砕部搬送路２０から搬出される。粉砕部排出路２０から搬出された各種野菜屑粉砕乾燥物は、ストック瓶２１に集められ、ストック瓶２１に接続する粉砕乾燥物供給路２２から、粉砕原料積繊部２３に供給される。粉砕原料積繊部２３には、吸水性樹脂供給部２４及び消臭剤供給部２５が、夫々、供給路２６及び２７を介して吸水性樹脂及び消臭剤を供給可能に接続している。
【００６１】
本例において、粉砕原料積繊部２３の下部には、下台紙供給部２８に接続する下台紙案内路２９が通っており、下台紙案内路２９により下部吸収性下台紙が粉砕原料積繊部２３の下部に案内される。この粉砕原料積繊部２３の下部に案内された下台紙2の上に、吸水性材料層部を形成する材料として、粉砕原料積繊部２３から吸水性樹脂及び消臭剤が混合されている野菜屑粉砕乾燥物が供給され載置される。吸水性樹脂及び消臭剤が混合されている野菜屑粉砕乾燥物が載置された下台紙２は、下台紙案内路２９によって粉砕原料積繊部２３の上台紙供給位置３０に送られる。上台紙供給位置３０には、上台紙供給部３１に接続する上台紙案内路３２が接続しており、下台紙２に載置された吸水性樹脂及び消臭剤が混合されている野菜屑粉砕乾燥物の上に、上台紙４が、上台紙供給部３１に接続する上台紙案内路３２から供給される。吸水性樹脂及び消臭剤が混合されている野菜屑粉砕乾燥物及び上台紙４が載置された下台紙２は、粉砕原料積繊部２３から出る下台紙案内路２９に案内されて、エンボス加工部３３に送られて、このエンボス加工部３３のエンボス加工工程で、上台紙４、吸水性材料層部３及び下台紙２にエンボスが形成されて一体の吸収体積層物に形成され、このエンボス加工部３３の加工工程で、上台紙４と下台紙２の両端部７及び８が圧着されて、一体に形成される。
【００６２】
エンボス形成部３３で形成された積層物は、積層物案内路３４により、吸収体カツト部３５を経由してホットメルト部３６に搬送される。エンボス形成部３３で一体に形成された吸収体積層物は、吸収体カット部３５で所定寸法幅に裁断される。所定寸法幅に裁断された吸収体積層物は、積層物案内路３４により搬送されてホットメルト部３６に送られる。
本例において、ホットメルト部３６には、その下部にバックシート供給部３７に接続するバックシート供給路３８が接続し、その上部に不織布供給部３９に接続する不織布供給路４０が接続しており、上台紙４が載置されてホットメルト部３６に送られた下台紙２の下に、ポリエチレンフィルムのバックシート１１が配置され、上台紙４の上にはポリプロピレン製の不織布１２が配置され、ホツトメルト接着工程に送り接着する。接着されて形成されたシート積層物は、一方でホットメルト部３６に接続し、他方で製品カツト部４２に接続するシート積層物搬出路４１により、製品カツト部４２に搬出される。本例においては、ホットメルト接着剤は、不織布１２の両端部や、その他中央部等の接着箇所に塗布される。
【００６３】
シート積層物は、製品カット部４２において、所定の長さに裁断され、製品としてのシーツ１０が形成される。シーツ１０は、一方で製品カット部４２に接続し他方で製品折り畳み部４３に接続するシーツ搬送路４４により製品折り畳み部４３に送られる。次いで折り畳まれたシーツは、一方で製品折り畳み部４３に接続し、他方で計数検査部４５に接続する製品搬送路４６に送られて、計数及び規格検査が行われ、計数され、規格に合格したシーツは、一方で計数検査部４５に接続し、他方で包装部４７に接続する搬送路４８により、包装部４７に送られ、包装される。
本例において、湿式粉砕機としては、株式会社ホーライ製のものが使用され、乾式の解繊機としては、住倉工業株式会社製又は株式会社ホーライ製ＨＴ形微粉砕機を使用した。
【００６４】
図７に示すに実施例において、製造されるシーツ１０は、前記実施例３に示した外寸で幅３００ｍｍ、長さ４５０ｍｍの動物用シーツであり、吸水性材料層部３は、シーツ一枚あたり３５ｇであり、その成分は、３ｍｍ以下の粒度の野菜屑粉砕乾燥物３５重量％、３ｍｍ以下の粒度の紙おむつ規格外品粉砕物３０重量％、３ｍｍ以下の粒度のパルプ系不織布屑粉砕物３０重量％及び吸水性樹脂５重量％であった。上下吸収紙は、夫々、坪量が１４ｇ／平方メートルであり、上面を形成する不織布の目付は、１８ｇ／平方メートルであり、底面を形成するポリエチレンフィルムは、２０ｇ／平方メートルであった。
【００６５】
下台紙即ち背面側吸収紙２のロール２８は、吸収紙送り出しローラ４９により引き出されて、吸水性材料層部３を形成する野菜屑粉砕乾燥物含有混合物を供給する混合物供給部５１に送られる。混合物供給部５１には、積繊機２３が設けられており、前記野菜屑粉砕乾燥物、紙おむつ規格外品粉砕物及びパルプ系不織布屑粉砕物は、該積繊機２３により混合され、さらに供給段階で吸水性樹脂供給装置２４から供給される吸水性樹脂と混合されて、混合物供給位置５０に送られた背面側吸収紙２の上に供給される。前記野菜屑粉砕乾燥物、紙おむつ規格外品粉砕物、パルプ系不織布屑粉砕物及び吸水性樹脂の混合物（以下、吸水性材料混合物という）を載置した背面側吸収紙２は、消臭剤供給箇所５２に送られて、消臭剤供給装置２７から消臭剤が供給される。ついで消臭剤が供給された背面側吸収紙２は、表面側吸収紙４の供給箇所５３に送られる。表面側吸収紙４は、表面側吸収紙のロール３１から、引き出しローラ５４により引き出され、ロール３１から吸水性材料混合物層の上に供給される。背面側吸収紙２、吸水性材料混合物層及び表面側吸収紙４が配置された帯状成層物は、エンボス加工装置３５に送られ、ここで背面側吸収紙２の端部７が、表面側吸収紙４の端部８の上に重ねられて、エンボス加工により一体に圧縮成形される。エンボス加工によるエンボスが形成された帯状成層成形体は、帯状成形体カッター３５に送られて、長さ４００ｍｍに切断されて成形体１が形成される。帯状成形体カッター４０により切断されて形成された吸収体１は、吸収体１の下方に、バックフィルム用のポリエチレンフィルム１１を供給するポリエチレンフィルム供給箇所５５に送られる。ポリエチレンフィルム供給箇所５５において、吸収体１の下方には、バックフィルム用のポリエチレンフィルム１１がポリエチレンフィルム１１のロール３７から供給ローラ５６により供給され、吸収体１はポリエチレンフィルム１１の上に載せられて、ポリプロピレン不織布１２を被せるポリプロピレン不織布供給箇所５７に送られる。ポリプロピレン不織布１２は、ポリプロピレン不織布１２のロール３９から引き出されてポリプロピレン不織布供給箇所５７に送られる過程で、ホットメルト接着剤が噴霧器５８から噴霧され、ポリプロピレン不織布１２の供給ローラ５９により、不織布１２を供給する箇所５７で、吸収体１の表面側吸収紙４の上に供給され、ホットメルト接着剤が塗布されたポリプロピレン不織布１２は、吸収体１の上に載せられる。ポリエチレンフィルム１１及びポリプロピレン不織布１２で被覆された吸収体被覆物は、サイドシール機３６１に送られて、両側部は、圧着されて、ホットメルト接着剤により接着される。両側部が接着された吸収体被覆物は、エンドシール機３６２に送られて長手方向両端部が接着され、製品カッター４２に送られ、所定の寸法に切断されて、製品となる。このようにして得られたは製品は、製品送り路５０から送られる。製品カッター４９で切断された動物用シーツの製品は、折り機（図示されていない）によって折られ、包装機（図示されていない）により包装されて出荷される。
【００６６】
以上の例においては、動物用シーツについての実施例を説明したが、人用若しくは動物用の使い捨ておむつに使用されるシーツ、人用のシーツ、吸水性マット及び包装材料の場合も同様である。吸水性マットや包装材料において、表及び裏面の双方を透水性とする場合には、バックフィルムのポリエチレンフィルムに代えて不織布を使用することができる。
【００６７】
【発明の効果】
本発明において、吸収体は、５ｍｍ以下の粒度の野菜屑粉砕乾燥物、５ｍｍ以下の粒度の野菜屑粉砕乾燥物及び吸水性樹脂の混合物、叉は５ｍｍ以下の粒度の野菜屑粉砕乾燥物、５ｍｍ以下の粒度に粉砕された廃棄物配合材料粉砕物及び吸水性樹脂の混合物を吸水性材料層部とした吸収体とするので、従来の吸収体に比して、安価な吸収体を提供することができ、また、動物用シーツ、吸水性マット及び包装材料に使用して、安価な動物用シーツ、吸水性マット及び包装材料を提供することができる。しかも、表面を形成する表面側吸収性紙層部及び／又は吸水性材料層部に、界面活性剤を付着させることにより、プラスチック材料含有廃材表面を濡れ易くでき、吸水速度を大きくすることができ、プラスチック廃材の利用を可能にする。従来のパルプ材料を含む吸収体に比して、粉砕混合等の比較的簡単な作業で廉価な吸収体を製造することができ、大量に発生する野菜屑やプラスチック廃材を有効に利用することができる。本発明の吸収体及びシーツにおいて、界面活性剤の使用は、水の吸収速度を比較的大きくでき、例えば床の上に配置して、床に水滴が落ちても、床を乾いた状態に保つことができる。したがって、例えば床等に配置して、床の水に濡れるのを防止でき、また露天のイベント会場の場合には、通路に敷くことにより、雨天の日でも通路を乾いた状態に維持でき、来場した人達に通路の濡れによる不快感を与えることがない。また、本発明の吸収体は、吸収体、シーツ及び包装材料に使用して、従来のものと同様に、野菜や魚介類等の運搬用包装材料として、また植木鉢等に利用して、土壌中で分解できる植木鉢を提供することを可能にするなど有効である。野菜屑粉砕乾燥物は、弾力性を有し、衛生的に保つことにより、人又は動物が、休養時及び就寝時に使用して、肌触りが良く、シーツとすることができる。
【図面の簡単な説明】
【図１】本発明の一実施例の一層の吸水性材料層部を有する吸収体の断面構造の概略を示す概略の部分断面図である。
【図２】前記図１に示す実施例の吸収体の断面構造を有する本発明の一実施例の吸収体についての幅方向の概略の断面構造を示す断面図である。
【図３】前記図１に示す実施例の吸収体の断面構造を有するが、図２に示す実施例の吸収体とは異なる本発明の他の一実施例の吸収体についての幅方向の概略の断面構造を示す断面図である。
【図４】前記図２に示す実施例の吸収体を使用する本発明の一実施例の人用若しくは動物用の使い捨ておむつ用シーツ、人用若しくは動物用のシーツ、吸収性マット又は包装材料用のシーツについての幅方向の概略の断面構造を示す断面図である。
【図５】前記図３に示す実施例の吸収体を使用する本発明の他の一実施例の人用若しくは動物用の使い捨ておむつ用シーツ、人用若しくは動物用のシーツ、吸収性マット又は包装材料用のシーツについての幅方向の概略の断面構造を示す断面図である。
【図６】前記図１に示す本発明の実施例の吸収体を使用する本発明の一実施例の人用若しくは動物用の使い捨ておむつ用シーツ、人用若しくは動物用のシーツ、吸収性マット又は包装材料用のシーツを製造する工程を示す概略の工程図である。
【図７】図６に示す動物用シーツを製造する工程の詳細な工程の概略を示す工程図である。
【符号の説明】
１  吸収体
２  背面側吸収紙又は下台紙
３  吸水性材料層部
４  表面側吸収紙又は上台紙
５、７  背面側吸収紙又は下台紙２の幅方向の両端部
６、８  表面側吸収紙又は上台紙４の両端部
１０  シーツ
１１  プラスチックフィルム、ポリエチレンフィルムのバックシート又はバ  ックフィルム用のポリエチレンフィルム
１２  不織布又はポリプロピレン製の不織布
１３  プラスチックフィルム又はポリエチレンフィルムのバックシートの両端部
１４  不織布又はポリプロピレン製の不織布の両端部
１５  原料受入部
１６  搬送路
１７  原料投入部
１８  粉砕部供給路
１９  粉砕工程
２０  粉砕部搬送路又は 粉砕部排出路
２１  ストック瓶
２２  粉砕乾燥物供給路
２３  粉砕原料積繊部
２４  吸水性樹脂供給部
２５  消臭剤供給部
２６  吸水性樹脂供給路
２７  消臭剤供給装置又は消臭剤供給路
２８  背面側吸収紙又は下台紙２のロール、 下台紙供給部
２９  下台紙案内路
３０  上台紙供給位置
３１  上台紙供給部又は表面側吸収紙４のロール
３２  上台紙案内路
３３  エンボス加工部
３４  積層物案内路
３５  吸収体カツト部又は帯状成形体カッター
３６  ホットメルト部
３６１  サイドシール機
３６２  エンドシール機
３７  バックシート供給部又はポリエチレンフィルム１１のロール
３８  バックシート供給路
３９  不織布供給部又はポリプロピレン不織布１２のロール
４０  不織布供給路
４１  シート積層物搬出路
４２  製品カツト部
４３  製品折り畳み部
４４  シーツ搬送路
４５  計数・検査部
４６  製品搬送路
４７  包装部
４８  搬送路
４９  吸収紙送り出しローラ、製品カッター
５０  混合物供給位置、製品送り路
５１  混合物供給部
５２  消臭剤供給箇所
５３  表面側吸収紙供給箇所
５４  表面側吸収紙引き出しローラ
５５  ポリエチレンフィルム供給箇所
５６  ポリエチレンフィルム供給ローラ
５７  ポリプロピレン不織布１２を被せる箇所
５８  ホツトメルト接着剤の噴霧器
５９  ポリプロピレン不織布１２供給ローラ
【図１】
0003689019.tif 000002
【図２】
0003689019.tif 000003
【図３】
0003689019.tif 000004
【図４】
0003689019.tif 000005
【図５】
0003689019.tif 000006
【図６】
0003689019.tif 000007
【図７】
0003689019.tif 000008